(57)【要約】【課題】迅速に投影可能状態にすることができる投射型表示装置を提供する。【解決手段】投影用光源２１を備え、入力される画像信号に基づいて生成された画像を投射して表示する画像表示装置１であって、画像信号を入力するビデオプラグ２の挿入を検知するビデオプラグ検出回路１１の出力に基づいて、電源モジュール１４、及びビデオプラグ２を介して画像信号が入力される、ビデオ信号変換回路１６等で構成される画像処理手段の少なくとも一部を起動させるようにした。【選択図】図１
2010008453.tif 000002
【特許請求の範囲】
【請求項１】
投影用光源を備え、入力される画像信号に基づいて生成された画像を投射して表示する画像表示装置であって、
前記画像信号を入力する入力プラグの挿入の有無を検知するプラグ検知手段と、
前記入力プラグを介して前記画像信号が入力される画像処理手段と、
前記プラグ検知手段が前記入力プラグの挿入を検知したとき、前記プラグ検知手段の出力に基づいて前記画像処理手段の少なくとも一部及び前記投影用光源に電力を供給する電源手段を起動させる制御手段と
を備えることを特徴とする画像表示装置。
【請求項２】
前記プラグ検知手段によって前記入力プラグの挿入が検知されたとき、前記制御手段は前記投影用光源を点灯させることを特徴とする請求項１記載の画像表示装置。
【請求項３】
前記画像処理手段の少なくとも一部及び前記投影用光源を作動状態にする操作部材を備え、前記制御手段は前記操作部材が操作されたとき、前記投影用光源を点灯させることを特徴とする請求項１記載の画像表示装置。
【請求項４】
前記操作部材の操作状態を表示する表示手段を備え、前記プラグ検知手段の出力に基づいて前記画像処理手段の少なくとも一部及び前記電源手段を起動した後、前記操作部材が操作されないとき、前記制御手段は前記操作部材が操作待ち状態にあることを前記表示手段に表示させることを特徴とする請求項３記載の画像表示装置。
【請求項５】
前記操作部材が操作待ち状態になった後、所定時間内に前記操作部材が操作されないとき、前記制御手段は省電力モードに移行することを特徴とする請求項４記載の画像表示装置。
【請求項６】
前記プラグ検知手段によって前記入力プラグの挿入が検出されないとき、前記制御手段は前記操作部材の操作に基づいて前記画像処理手段の少なくとも一部及び前記電源手段を起動させることを特徴とする請求項１〜５のいずれか１項記載の画像表示装置。
【発明の詳細な説明】
【技術分野】
【０００１】
この発明は画像表示装置に関する。
【背景技術】
【０００２】
従来、ビデオカメラから出力される映像信号に基づく画像やメモリカードに記録される画像データに基づく画像等を投射可能な投射型表示装置が知られている（下記公報参照）。  メモリカードが装着されていない場合や、ビデオカメラから映像信号が出力されていない場合、投射型表示装置内部のランプは自動的に消灯され、ビデオカメラから映像信号が出力されるか、メモリカードが装着されると、ランプが自動的に点灯して画像がスクリーン上に投射される。
【特許文献１】特開２００１−１３３８８０号公報
【発明の開示】
【発明が解決しようとする課題】
【０００３】
ところで、上記投射型表示装置の投影の準備をする際の操作手順の一態様として、例えば画像信号を外部から入力するプラグを接続し、その後にメインスイッチを操作して投射型表示装置を投影可能状態にする場合がある。この場合、メインスイッチの操作によって投射型表示装置が初めて動作状態になるため、画像処理回路を初期化する等の待ち時間が必要である。そのため、メインスイッチを操作した後にプラグを挿入する場合に比べて、操作開始から投影可能状態になるまでに多くの時間がかかる。また、上記投射型表示装置ではランプとして高圧放電ランプ等の放電型ランプが用いられているので、点灯開始から十分な明るさで安定した点灯状態になるまでに長い時間（例えば数十秒程度）が必要である。
【０００４】
この発明はこのような事情に鑑みてなされたもので、その課題は迅速に投影可能状態にすることができる投射型表示装置を提供することである。
【課題を解決するための手段】
【０００５】
上記課題を解決するため請求項１記載の発明は、投影用光源を備え、入力される画像信号に基づいて生成された画像を投射して表示する画像表示装置であって、前記画像信号を入力する入力プラグの挿入の有無を検知するプラグ検知手段と、前記入力プラグを介して前記画像信号が入力される画像処理手段と、前記プラグ検知手段が前記入力プラグの挿入を検知したとき、前記プラグ検知手段の出力に基づいて前記画像処理手段の少なくとも一部及び前記投影用光源に電力を供給する電源手段を起動させる制御手段とを備えることを特徴とする。
【０００６】
請求項２に記載の発明は、請求項１記載の画像表示装置において、前記プラグ検知手段によって前記入力プラグの挿入が検知されたとき、前記制御手段は前記投影用光源を点灯させることを特徴とする。
【０００７】
請求項３に記載の発明は、請求項１記載の画像表示装置において、前記画像処理手段の少なくとも一部及び前記投影用光源を作動状態にする操作部材を備え、前記制御手段は前記操作部材が操作されたとき、前記投影用光源を点灯させることを特徴とする。
【０００８】
請求項４に記載の発明は、請求項３記載の画像表示装置において、前記操作部材の操作状態を表示する表示手段を備え、前記プラグ検知手段の出力に基づいて前記画像処理手段の少なくとも一部及び前記電源手段を起動した後、前記操作部材が操作されないとき、前記制御手段は前記操作部材が操作待ち状態にあることを前記表示手段に表示させることを特徴とする。
【０００９】
請求項５に記載の発明は、請求項４記載の画像表示装置において、前記操作部材が操作待ち状態になった後、所定時間内に前記操作部材が操作されないとき、前記制御手段は省電力モードに移行することを特徴とする。
【００１０】
請求項６に記載の発明は、請求項１〜５のいずれか１項記載の画像表示装置において、前記プラグ検知手段によって前記入力プラグの挿入が検出されないとき、前記制御手段は前記操作部材の操作に基づいて前記画像処理手段の少なくとも一部及び前記電源手段を起動させることを特徴とする。
【発明の効果】
【００１１】
この発明によれば、迅速に投影可能状態にすることができる。
【発明を実施するための最良の形態】
【００１２】
以下、この発明の実施の形態を図面に基づいて説明する。
【００１３】
図２はこの発明の一実施形態に係る画像表示装置１の斜視図である。
【００１４】
図２（ａ）はビデオプラグ挿入前の状態を示し、表示用ＬＥＤ（表示手段）１３は消灯している。図２（ｂ）は操作スイッチ（操作部材）１２の操作待ちの状態を示し、表示用ＬＥＤ１３は点滅している。図２（ｃ）は投影状態を示し、表示用ＬＥＤ１３は点灯している。
【００１５】
画像表示装置１の筐体１Ａの上面には電源モジュール（電源手段）１４（図１参照）のオン・オフを行う操作スイッチ１２が配置されている。また、筐体１Ａの側面には電気ケーブル３に接続されたビデオプラグ（入力プラグ）２が挿入されるジャック３０が配置されている。更に、筐体１Ａの背面には画像表示装置１の動作状態を表示する表示用ＬＥＤ１３が配置されている。また、筐体１Ａの正面にはスクリーン５に向けて光学像を投影するための投影レンズ（図示せず）が配置されている。
【００１６】
図１は画像表示装置１の構成を示すブロック図である。
【００１７】
画像表示装置１には主制御部であるＣＰＵ（制御手段）１０等が収容されている。ＣＰＵ１０には、ビデオプラグ検出回路（プラグ検知手段）１１、操作スイッチ１２、表示用ＬＥＤ１３、投影用光源駆動回路１５、投影光学系２０、ビデオ信号変換回路１６、画像表示ドライバ１７が接続されている。
【００１８】
ＣＰＵ１０は、画像信号を外部から入力するビデオプラグ２が挿入されたとき又は操作スイッチ１２が押されたとき、電源起動信号１０ａを出力して電源モジュール１４及び少なくともビデオ信号変換回路１６、画像表示ドライバ１７、画像表示素子２２のいずれかを起動させるとともに、表示指示信号１０ｂを出力して表示用ＬＥＤ１３を点灯又は点滅させる。また、ＣＰＵ１０はビデオプラグ２が挿入されたとき又は操作スイッチ１２が押されたとき、ＬＥＤ点灯制御信号１０ｃに基づいてＬＥＤ光源（投影用光源）２１を点灯させる。
【００１９】
ビデオプラグ検出回路１１は、ビデオプラグ２（図２参照）がジャック３０に挿入されたとき、ビデオプラグ検出信号１１ａをＣＰＵ１０に出力する。
【００２０】
投影用光源駆動回路１５はＣＰＵ１０からのＬＥＤ光源２１の動作を制御するＬＥＤ点灯制御信号１０ｃに基づいてＬＥＤ光源２１への電力供給を制御して、ＬＥＤ光源２１の点灯及び消灯を行う。
【００２１】
ビデオ信号変換回路１６は入力した画像信号１１ｂの同期の状態から画像信号１１ｂが有効であるか無効であるかを判断し、画像有効/無効信号１６ａをＣＰＵ１０へ出力する。画像信号１１ｂには画像信号の走査タイミングを規定する各種同期信号（水平同期信号や垂直同期信号等）が含まれている。
【００２２】
また、ビデオ信号変換回路１６では画像信号１１ｂはＡ／Ｄ変換され、デジタルの画像信号１６ｂとして画像表示ドライバ１７へ出力される。
【００２３】
画像表示ドライバ１７はビデオ信号変換回路１６から出力された画像信号１６ｂに応じて、画像表示素子２２を駆動するための画像信号１７ｃを生成する。
【００２４】
投影光学系２０はＬＥＤ光源２１と画像表示素子２２と前述した投影レンズとで構成される。
【００２５】
ＬＥＤ光源２１は、放電型光源ランプに比べて、電源を含めて小型化が可能である上、瞬時点灯・瞬時消灯が可能であること、輝度変更を短時間に繰り返しても光源に対する負荷が小さく安定な発光が可能であること、長寿命であること等、画像表示装置の光源として多くの利点がある。
【００２６】
画像表示素子２２は例えば液晶ライトバルブであり、ＬＥＤ光源２１から射出された光を画像信号１７ｃに基づいて変調することにより、画像信号１７ｃに応じた光学像を形成する。画像表示素子２２で形成された光学像は投射レンズによってスクリーン５等に拡大投射される（図２（ｃ）参照）。
【００２７】
なお、ビデオ信号変換回路１６、画像表示ドライバ１７及び画像表示素子２２で画像処理手段が構成される。
【００２８】
次に、ビデオプラグ２の有無を検出する方法を説明する。
【００２９】
図３は画像入力用のビデオプラグ２の有無を検出する検出回路の一例を示す図である。
【００３０】
検出回路はビデオプラグ２とジャック３０とで構成される。ビデオプラグ２は２極プラグである。ビデオプラグ２は画像表示装置１のジャック３０の接触端子３１を介してビデオ信号変換回路１６へ画像信号１１ｂを出力するためのチップ部２Ａと、絶縁カラー部２Ｂと、ジャック３０の接触端子３２を介してＣＰＵ１０へビデオプラグ検出信号１１ａを出力するためのリング部２Ｃとを有する。ビデオプラグ２の先端にチップ部２Ａがあり、その後側に絶縁カラー部２Ｂ、リング部２Ｃが続く。なお、ジャック３０の挿入口にはグランドに接続されたスリーブ３３が設けられている。
【００３１】
検出回路は上記のような構成であるので、ビデオプラグ２が画像表示装置１のジャック３０に挿入されたとき、あらかじめグランドに接続してあるスリーブ３３と接触端子３２とがリング部２Ｃを介して接続されることによりグランドレベルのビデオプラグ検出信号１１ａが出力され、ビデオプラグ２のジャック３０への挿入を検出することができる。
【００３２】
なお、上記検出回路はビデオプラグ２をジャックに挿入したときに接触端子３２をグランドレベルにしたが、ビデオプラグ２の挿入により接触端子３２がグランドレベルから切り離されるジャックを使用するようにしてもよい。この場合、グランドレベルはビデオプラグ２の未挿入を意味する。
【００３３】
図４は画像表示装置１の動作を説明するためのタイミングチャートである。
【００３４】
タイミングチャートを用いて画像表示装置１の動作を説明する。
【００３５】
省電力モード（ＣＰＵ１０だけに電力が供給されている状態）にあるとき、ビデオプラグ検出回路１１からのビデオプラグ検出信号１１ａ（図４（ａ）参照）がＬレベルになることよってビデオプラグ２の挿入が検出されたとき、ＣＰＵ１０は電源起動信号１０ａをＨレベル（図４（ｂ）参照）として電源モジュール１４を起動させる（図４（ｃ）参照）。
【００３６】
電源モジュール１４が起動すると、表示指示信号１０ｂのレベルを所定のタイミングで切り換えて表示用ＬＥＤ１３を点滅（図４（ｄ）参照）させる。その結果、操作スイッチ１２の操作待ちであることをユーザは知ることができる。
【００３７】
表示用ＬＥＤ１３が点滅後、ユーザによって操作スイッチ１２が操作される（図４（ｅ）参照）と、ＬＥＤ光源２１が点灯する（図４（ｆ）参照）。
【００３８】
図５は従来の画像表示装置の動作を説明するためのタイミングチャートである。
【００３９】
このタイミングチャートを用いて従来の画像表示装置の動作を上述の実施形態の画像表示装置の動作の比較例として説明する。
【００４０】
従来の画像表示装置では、ビデオプラグの挿入ではなく、操作スイッチの操作（図５（ａ）参照）が検出されたとき、電源起動信号がＨレベル（図５（ｂ）参照）となり、電源モジュールが起動し（図５（ｃ）参照）、光源が点灯する（図５（ｄ））。すなわち、ビデオプラグが挿入されただけでは画像表示装置は投影可能状態にならない。
【００４１】
図６はこの発明の実施形態の画像表示装置の動作を説明するフローチャートである。Ｓ１〜Ｓ１１はそれぞれステップを示す。なお、画像表示装置１は省電力モードにあるものとする。
【００４２】
まず、操作スイッチ１２（メインスイッチ）の操作によって画像表示装置１を起動させる場合を説明する。
【００４３】
省電力モードからの起動ルーチン（図示せず）内において、ＣＰＵ１０はビデオプラグの挿入による起動かどうかのフラグを設定する。操作スイッチ１２による起動の場合は、起動フラグを０に設定する。ステップＳ１においては、この起動フラグが０か１かを判断する。
【００４４】
ステップＳ１において、操作スイッチ１２の操作による起動（起動フラグ＝０）と判断したとき（ＮＯ）、ＣＰＵ１０はステップＳ２へ進んで、起動フラグをクリアする。操作スイッチ１２による起動の場合は、この起動フラグがもともと０のため、クリアする意味はないが、ステップＳ５から起動フラグ＝１の状態でステップＳ２へジャンプして来る場合もあるため、必要な処理である。
【００４５】
次に、タイマを停止する（Ｓ３）。
【００４６】
その後、表示用ＬＥＤ１３を点灯させる（Ｓ４）。
【００４７】
上記ルーチンの後はＬＥＤ光源２１を点灯させるための別ルーチン（図示せず）へ進み、投影用光源駆動回路１５を駆動してＬＥＤ光源２１を点灯させる。
【００４８】
次に、ビデオプラグ２の挿入によって画像表示装置１を起動させる場合を説明する。
【００４９】
ステップＳ１において、ビデオプラグ２による起動（起動フラグ＝１）と判断されたとき（ＹＥＳ）、操作スイッチ１２がオンであるか否かを判断する（Ｓ５）。
【００５０】
例えば所定時間内に操作スイッチ１２が操作されて操作スイッチ１２がオンであると判断されたとき（ＹＥＳ）、ステップ２へ進み、操作スイッチ１２を操作したときと同様に起動フラグをクリアする。その後、タイマを停止し（Ｓ３）、表示用ＬＥＤ１３を点滅状態から点灯状態にし（Ｓ４）、ＬＥＤ光源２１を点灯させるための別のルーチン（図示せず）へ進み、投影用光源駆動回路１５を駆動してＬＥＤ光源２１を点灯させる。
【００５１】
操作スイッチ１２がオンでないと判断されたとき（ＮＯ）、ＣＰＵ１０は表示用ＬＥＤ１３が点滅中（操作待ち状態）であるか否かを判断する（Ｓ６）。表示用ＬＥＤ１３が点滅中であると判断されたとき（ＹＥＳ）、ステップ８へ進む。
【００５２】
初めてステップ６へ進んだとき、表示用ＬＥＤ１３は消灯状態にある（表示用ＬＥＤ１３が点滅中でない（ＮＯ））ので、ＣＰＵ１０は表示用ＬＥＤ１３を点滅させる（Ｓ７）。表示用ＬＥＤ１３の点滅によって操作スイッチ１２が操作待ちの状態であることをユーザは知ることができる。
【００５３】
次に、タイマがスタートしているか否かを判断する（Ｓ８）。タイマがスタートしていると判断されたとき（ＹＥＳ）、ステップＳ１０へ進む。
【００５４】
初めてステップＳ８へ進むとき、タイマは計時を行っていない（タイマがスタートしていない（ＮＯ））ので、ＣＰＵ１０はタイマをスタートさせる（Ｓ９）。
【００５５】
次に、所定時間が経過したか否かを判断する（Ｓ１０）。所定時間が経過していないと判断されたとき（ＮＯ）、ステップＳ１へ戻る。このとき、起動フラグはセットされたまま（起動フラグ＝１）であるので、ステップＳ５へ進む。ステップＳ５で操作スイッチ１２が操作されないと判断されたとき、所定時間が経過するまで、ステップＳ１、Ｓ５、Ｓ６、Ｓ８、Ｓ１０、Ｓ１が繰り返される。
【００５６】
所定時間内にステップＳ５において、操作スイッチ１２が操作されて操作スイッチ１２がオンであると判定された場合は、ステップＳ２へジャンプして起動フラグをクリアする。続いてタイマを停止（Ｓ３）し、表示用ＬＥＤ１３を点灯させる（Ｓ４）。
【００５７】
上記ルーチンの後はＬＥＤ光源２１を点灯させるための別ルーチン（図示せず）へ進み、投影用光源駆動回路１５を駆動してＬＥＤ光源２１を点灯させる。
【００５８】
所定時間が経過したと判断されたとき（ＹＥＳ）、省電力移行フラグがセット（Ｓ１１）され、画像表示装置１は省電力モードとなる。このとき、表示用ＬＥＤ１３が消灯し、省電力モードであることをユーザは知ることができる。
【００５９】
この実施形態によれば、ビデオプラグ２の挿入又は操作スイッチの操作によって画像処理手段等に電力を供給することができ、投影の準備開始から迅速に投影可能状態になるまでの時間を短縮することができる。また、ＬＥＤを用いているため、ＬＥＤ光源２１の消灯直後であっても短い時間で再点灯することができ、画像の投影を行うことができる。更に、操作スイッチ１２が操作待ち状態になった後、所定期間内に操作スイッチ１２が操作されないと省電力モードに移行するので、電力消費を抑制することができる。なお、上記実施形態では表示手段としてＬＥＤを用いたが、表示手段はＬＥＤに限るものでない。
【図面の簡単な説明】
【００６０】
【図１】図１はこの発明の一実施形態に係る画像表示装置の構成を示すブロック図である。
【図２】図２はこの発明の第１実施形態に係る画像表示装置の斜視図である。
【図３】図３は画像入力用のビデオプラグの有無を検出する検出回路の一例を示す図である。
【図４】図４は画像表示装置の動作を説明するためのタイミングチャートである。
【図５】図５は従来の画像表示装置の動作を説明するためのタイミングチャートである。
【図６】図６はこの発明の実施形態の画像表示装置の動作を説明するフローチャートである。
【符号の説明】
【００６１】
１：画像表示装置、２：ビデオプラグ（入力プラグ）、１０：ＣＰＵ（制御手段）、１１：ビデオプラグ検出回路（プラグ検知手段）、１２：操作スイッチ（操作部材）、１３：表示用ＬＥＤ（表示手段）、１４：電源モジュール（電源手段）、１６：ビデオ信号変換回路、１７：画像表示ドライバ、２１：ＬＥＤ光源（投影用光源）、２２：画像表示素子。
【図１】
2010008453.tif 000003
【図２】
2010008453.tif 000004
【図３】
2010008453.tif 000005
【図４】
2010008453.tif 000006
【図５】
2010008453.tif 000007
【図６】
2010008453.tif 000008